(57)【要約】【課題】スピーカシステムの振動板の動きに対する反作用によるエンクロージャーなどの揺動や振動を低減させ、音の広がりと音の立ち上がりを両立させてより立体的な音像で聴ける高音質なスピーカを提供することを課題としている。【解決手段】一対のスピーカユニットを同一直線上に向き合う形で配置し、その中央に円錐状の音拡散器を配し、曲面を有するバッフル面を対向させバッフル面の曲面と曲面とでホーン形状をなすようにスペサーを挟んでボルトとナットでクランプし離隔固定し反作用力が相互に打消し合うようにした。このようにスピーカユニットが同一直線上に向き合う形で一体化した構造を特徴とする３６０°開口のホーンスピーカ装置とし、エンクロージャーをバックロードホーン方式又は、バスレフ方式として構成したスピーカシステムとすることで課題の解決手段とした。【選択図】  図１
2005318484.tif 000002
【特許請求の範囲】
【請求項１】
一対のスピーカユニットを同一直線上に向き合う形で配置し、その中央に円錐状の音拡散器を置き、スピーカユニットを取り付けたバッフル面には曲面をもたせ、その曲面と曲面とでホーン形状をなすように離隔固定した構造を特徴とする３６０°開口のホーンスピーカ装置。
【請求項２】
空気室及び音道用の溝が成型された一対の発泡樹脂成型品を貼り合わせることで内部に空気室及び屈曲した音道が形成されることを特徴とするバックロードホーン用エンクロージャー及びこのバックロードホーン用エンクロージャーで構成した請求項１に記載のスピーカ装置。
【請求項３】
エンクロージャーをバスレフ方式として構成した請求項１に記載のスピーカ装置。
【発明の詳細な説明】
【技術分野】
【０００１】本発明は、良好な音質で音響再生が可能なスピーカ装置に関する。
【背景技術】
【０００２】従来のスピーカシステムの例として、図５に示す直接放射型がある。３ウエイを例にとるとエンクロージャーにウーハー、スコーカー、ツィーターがバッフル板を介して前面に付けられている。また、図示しない接続用入力端子及びネットワークが後壁に付けられている。【０００３】該直接放射型スピーカでは、振動板の動きに対する反作用がスピーカユニットに働き、磁気回路やエンクロージャーなどが揺動し振動をしてしまう現象がある。反作用による揺動や振動は、エネルギ伝達効率を低下させ、過度特性を悪くし、音の立ち上がり、スピード感を損って音質の低下を招く。揺動や振動を抑制し音質を高めるために、フレームや磁気回路及びエンクロージャーの質量を大きくする方法が一般的に取られてきた。【０００４】ホーンスピーカを高音域に用いた場合、音の立ち上がりの良さはでるが、音の広がりが悪い。このように従来のスピーカでは、音の広がりと音の立ち上がりが、両立しないという欠点があった。また、マルチウエイの場合ネットワークがアンプとスピーカの間に必要で、コイル、コンデンサー、抵抗による歪みが発生したり、帯域の一部の音が耳障りに聞こえたりすることがあった。更に、一枚のバッフル板に取り付けられている前記スピーカシステムが作る、音像と音場は平面的で、立体感に欠けていた。【０００５】また、一部のオーディオマニアの間では、比較的小さなフルレンジスピーカユニットを使って前面から出る中音・高音は直接放射させ、後方に出る音を長い音道を通して再生して、低音域の量感を向上させるバックロードホーン方式が愛好されている。このタイプは背面開放に近く、コーン紙の動きが軽く、ネットワークが不要で微少な信号に対して再生能力が高いが、内部に屈曲した長い音道を形成しなければならないため量産には向いていなかった。【０００６】一方、全指向性スピーカとしては、スピーカを上向き又は下向きにし、スピーカーの前に円錐状の音拡散器を設置することにより、スピーカからの音を全方向に反射・拡散させるタイプの製品があった。【０００７】ところで、実際のオーケストラの音では、弦楽器は無指向性で広がり、管楽器では指向性が強い。スピーカによる再生においても弦楽器の音は無指向性で、管楽器の音は指向性をもたせて再生するのが望ましい。しかし従来のスピーカシステムでこれを実現することは、指向性と無指向性との相反する性質を融合させる必要があり困難が多かった。
【発明の開示】
【発明が解決しようとする課題】
【０００８】上記した従来のスピーカシステムでは、振動板の動きに対する反作用がスピーカユニットに働き、磁気回路やエンクロージャーなどが、揺動や振動を起こす現象があった。反作用による揺動や振動は、エネルギ伝達効率を低下させ、再生音の過度特性を悪くし、音の立ち上がりやスピード感を損って音質を低下させていた。【０００９】また、従来のスピーカでは、音の広がりと音の立ち上がりが、両立しないという欠点があり、音像と音場は平面的で立体感に欠けていた。【００１０】この発明は上記した点に鑑みてなされたもので、その目的は、振動板の動きに対する反作用によるエンクロージャーなどの揺動や振動を低下させ、音の広がりと音の立ち上がりを両立させてより立体的な音像で聴けるスピーカを提供することを課題としている。
【課題を解決するための手段】
【００１１】本発明のスピーカ装置においては、一対のスピーカユニットを同一直線上に向き合う形で配置し、その中央に円錐状の音拡散器を配し、曲面を有するバッフル面を対向させバッフル面の曲面と曲面とでホーン形状をなすようにスペサーを挟んでボルトとナットでクランプし離隔固定した。このようにスピーカユニットが同一直線上に向き合う形で一体化した構造を特徴とする３６０°開口のホーンスピーカ装置とし、エンクロージャーをバックロードホーン方式又は、バスレフ方式として構成したスピーカシステムとすることで前記課題の解決手段とした。
【発明の効果】
【００１２】一対のスピーカユニットを対向させ、駆動の軸線が同一直線上に位置する配置状態を保つように機械的に連結し、これを同相で駆動ることで、スピーカユニットの支持系などに生ずる反作用力が相互に打消し合うので、振動板の反作用力によるスピーカユニット及びエンクロージャーの揺動、振動が抑えられ、フレームや磁気回路及びエンクロージャーの質量を大きくすることなく過度特性に優れた、音の立ち上がりの良い、スピード感のある音質が得られる。【００１３】対向するバッフル面の曲面と曲面とでフロントホーンを形成するので、垂直方向で無指向性ホーンスピーカとなり、ホーンによる指向性と３６０°開口による無指向性の相反する性質を兼ね備え、音の広がりと音の立ち上がりが両立し、より立体的でシャープな音像が得られる。
【発明を実施する為の最良の形態】
【００１４】図１は、バックロードホーン方式で構成した、本発明の３６０°開口ホーンスピーカ装置の一例を示したもので、図１は断面図、図２は斜視図である。図中符号１はスピーカユニットで、フルレンジタイプあるいは、同軸２ウエイタイプの同じ物を一対とし、同相で駆動する。
【００１５】符号２は、バックロードホーン方式のエンクロージャーで、金型成型した低発泡スチレン樹脂等から成り、空気室及び音道用の溝が成型された一対の成型品を貼り合わせることで内部に空気室及び屈曲した音道が形成される。発泡樹脂を使った金型成型のため、金型を正確なエクスポネンシャル曲線で一組作ってしまえば後は大量生産が可能で、組立ても工数がかからず安価に生産できる利点がある。音道はスパイラル部を経て脚部から開口しており、長い音道を比較的小型軽量に作ることができる。スピーカユニットを取り付ける部分は、穴の空いた洗面器のような形でバッフ面は湾曲を有し、穴の周囲にスピーカユニットを取り付ける為のボルトを通す小さい穴が４箇所開いている。対向するバッフ面の曲面と曲面とで３６０度開口のフロントショートホーンを形成する。
【００１６】符号３は、音拡散器で、樹脂成型品または、金属等からなりスピーカユニットから出た音を３６０°拡散させるための曲面を有し、ボルトが貫通する小さい穴が４箇所開けられている。
【００１７】符号４は、スペーサーで、樹脂成型品または、金属等からなり、ボルトが貫通する穴が開いている。曲面を有した一対のバッフル面と音拡散器を、一定の間隔で固定する為に使う。スペーサーと音拡散器は一体成型でも良い。
【００１８】一対のスピーカユニットと一対のエンクロージャーと音拡散器及びスペーサーはボルトが貫通する形で、両側からナットでクランプすることで一体化する。
【００１９】図３は、本発明のバックロードホーン方式のエンクロージャーの内部の音道を示した斜視図である。空気室及び音道用の溝が成型された一対の発泡樹脂成型品を貼り合わせることで内部に空気室及び屈曲した音道が形成される。発泡樹脂を使った金型成型のため、設計段階で比較的自由にデザインすることができ安価に大量生産が可能である。スチレンビーズなどの素材を用い発泡の度合いを調整し必要な強度を得ることができる。
【００２０】図４は、本発明の無指向性ホーンスピーカ装置をバスレフ方式のエンクロージャーで構成した一例を示す断面図である。
【図面の簡単な説明】
【００２１】
【図１】バックロードホーン方式で構成した本発明の３６０°開口ホーンスピーカ装置の一例を示す断面図である。図２のＡ−Ａ′線での切断面。
【図２】バックロードホーン方式で構成した本発明の３６０°開口ホーンスピーカ装置の一例の斜視図である。
【図３】本発明のバックロードホーン方式のエンクロージャーの内部の音道を示した斜視図である。
【図４】バスレフ方式のエンクロージャーで構成した、本発明の３６０°開口ホーンスピーカ装置の一例の断面図である。
【図５】従来の３ウエイ直接放射型スピーカシステムの一例を示した概略図である。
【符号の説明】
【００２２】１  スピーカユニット
２  バックロードホーン
３  音拡散器
４  スペーサー
５  音道
６  開口部
７  空気室
８  ３６０°開口ホーンスピーカ装置部
９  バスレフ式エンクロージャー
１０  吸音材
１１  ダクト
１２  エンクロージャー
１３  ツイーター
１４  スコーカー
１５  ウーハー
１６  一対の発泡樹脂成型品
１７  音道用溝
【図１】
2005318484.tif 000003
【図２】
2005318484.tif 000004
【図３】
2005318484.tif 000005
【図４】
2005318484.tif 000006
【図５】
2005318484.tif 000007